(57)【要約】【課題】プレーヤのグリップ位置を規制することでスイング軌道を調整するとともに、プレイ中の安定性と、プレイ後の携帯性を両立したゴルフスイング矯正器具を提供する。【解決手段】ゴルフスイング矯正器具１は、器具１の設置面を構成する底板１１と、底板１１に対して回動自在に連結され棒状体Ｓの収納部１４を備えた支持板１２と、支持板１２と回動自在に連結され支持板１２の角度を調整自在にする調整板１３とを備え、これら３つの板が三角形状をなして組み立てられている。３つの板は、それぞれ蝶番１５により連結され、底板１１に対して支持板１２が、支持板１２に対して調整板１３が、それぞれ回動可能に構成される。器具１は、支持板１２の収納部１４に棒状体Ｓを収納し、棒状体Ｓの先端又は規制物Ａが、プレーヤのアドレス時にグリップの上方に位置するようにして用いる。【選択図】図３
2013138775.tif 000002
【特許請求の範囲】
【請求項１】
底板と支持板と調整板とを三角状に配置したゴルフスイング矯正器具であって、
前記支持板の両側に底板と調整板とを配置し、底板に対して支持板が、支持板に対して調整板が、それぞれ回動可能に連結され、
前記支持板には、前記底板及び調整板との連結方向に向かって、棒状体を支持可能な収納部が設けられ、
前記底板を底面として、前記支持板及び前記調整板とを山型に立てた状態で、前記調整板の傾き角度を調整することにより、前記支持板及び前記収納部の傾き角度を任意に変更可能であることを特徴とするゴルフスイング矯正器具。 
【請求項２】
前記収納部は、筒状の部材を前記支持板外面に取り付けて構成されることを特徴とする請求項１記載のゴルフスイング矯正器具。 
【請求項３】
前記収納部は、前記支持板に筒状の穴を設けて構成されることを特徴とする請求項１記載のゴルフスイング矯正器具。 
【請求項４】
前記収納部には、伸縮可能な棒状体が収納されたことを特徴とする請求項１〜３のいずれか１項に記載のゴルフスイング矯正器具。 
【請求項５】
前記底板の内面側には、前記調整板の連結されていない側の端部を、前記底板の内面側で複数段階で係止するストッパ部材を備えたことを特徴とする請求項１〜４のいずれか１項に記載のゴルフスイング矯正器具。
【発明の詳細な説明】
【技術分野】
【０００１】
本発明は、ゴルフスイングを矯正する器具に関し、特に、使用時の安定性を備えながら携帯性を備えたゴルフスイング矯正器具に関する。
【背景技術】
【０００２】
プレーヤが、ゴルフボールにゴルフクラブのヘッドをミートさせ、ボールを狙った方向に必要な距離だけ飛ばすには、ゴルフクラブのスイング軌道が重要である。ゴルフスイングで一連に行われる動作を局面に分解すると、一般的にグリップ、アドレス、テイクバック、ダウンスイング、フォロースルー、フィニッシュの６つに分けられる。
【０００３】
ゴルフスイングは、クラブを構えたアドレス位置から、テイクバック、ダウンスイングを経て、再びアドレス位置を通過して、フォロースルーに至るまで、クラブヘッドが軸となる身体の回りにおいて同一平面上で円弧（楕円）を描くように行われることが理想である。
【０００４】
スイングの局面では、テイクバックやフォロースルーの軌道も大切ではあるが、何よりもクラブヘッドをボールにミートさせるため、ダウンスイング後に当初構えたアドレス位置にグリップが戻ってくることが大切である。特に、クラブヘッドがボールに当たるインパクトの瞬間は、プレーヤが最も身体の力を利用する局面であり、それゆえヘッドスピードが最大になり、それに伴って遠心力も最大になる。そのため、スイング軌道が最も乱れる要因を含んだ局面であるということができる。
【０００５】
例えば、プレーヤが力み過ぎれば、インパクト時に当初のアドレス位置よりも手の位置が身体側に引き寄せられて、クラブヘッドがボールの手前を叩いてしまうダフリの原因になったり、インパクト時にアドレス位置よりも手の位置がボール寄りになればクラブフェースではなくネック（ヘッドとシャフトの結合部分）にボールが当たってシャンクの原因になったりする。他にも、身体の重心が流れてスウェイしていれば、インパクトの瞬間に手がアドレス位置をきちんと通過することはなく、また、インパクトの瞬間にボールから目が離れヘッドアップしていても、やはりインパクト時に手がアドレス位置を通過することはない。すなわち、インパクト時に手が当初構えたアドレス位置を正確に通過することは、ゴルフにおいてミスショットの原因の多くを取り除くための手法の一つであるといえる。
【０００６】
このようなゴルフスイングのインパクトにおいて、クラブヘッドを正しい軌道で通過させるためのスイング矯正器具が、従来より数多く提案されている（例えば、特許文献１参照）。このスイング矯正器具では、ボールを載置する位置の周囲にアーチ状の形状記憶部材を床に設置した基台から突出させ、このアーチ状の部材の内側を、クラブヘッドを通過させるようにする。これにより、インパクト時におけるクラブヘッドの軌道の正確性を高めさせるものである。
【先行技術文献】
【特許文献】
【０００７】
【特許文献１】特開２００６−３２６１４５号公報
【発明の概要】
【発明が解決しようとする課題】
【０００８】
しかしながら、上記のゴルフスイング矯正器具は、クラブヘッドの通過位置を規制するものであって、プレーヤのグリップの位置を規制するものではなかった。したがって、結局は、ボール位置を狙って打ち込む場合と大きく変わるものではなく、そのため、プレーヤは、スイング軌道を意識してスイングするというよりは、グリップを使ってクラブヘッドの位置を調整するようにスイングしてしまうこととなり、スイング軌道を修正させる器具としては十分な効果を発揮できなかった。
【０００９】
また、クラブヘッドの通過箇所を規制する部材を設けたとしても、プレーヤの力み等によるミスショットは起こり得るものであり、場合によっては、規制部材を打ち込んでしまうこともある。上記のゴルフスイング矯正器具では、設置面を構成する基台が小型で設計されている。そのため、規制部材をクラブヘッドで打ち込んでしまった際には、矯正器具を転倒させたり、飛ばしてしまったりする場合があった。
【００１０】
本発明は、以上のような従来技術の課題を解決するために提案されたものであり、その目的は、プレーヤのグリップ位置を規制することでスイング軌道を調整するとともに、プレイ中の安定性と、プレイ後の携帯性を両立したゴルフスイング矯正器具を提供することにある。 
【課題を解決するための手段】
【００１１】
上記の課題を解決するため、請求項１に係る発明は、底板と支持板と調整板とを三角状に配置したゴルフスイング矯正器具であって、前記支持板の両側に底板と調整板とを配置し、底板に対して支持板が、支持板に対して調整板が、それぞれ回動可能に連結され、前記支持板には、前記底板及び調整板との連結方向に向かって、棒状体を支持可能な収納部が設けられ、前記底板を底面として、前記支持板及び前記調整板とを山型に立てた状態で、前記調整板の傾き角度を調整することにより、前記支持板及び前記収納部の傾き角度を任意に変更可能であることを特徴とする。
【００１２】
以上の態様では、底板を底面として床面に設置し、支持板と調整板を山型に立てることにより上側の２面を形成し、山型に立てた支持板の収納部に対して、棒状体を挿入する。支持板から棒状体を斜めに突出させ、例えば、棒状体の先端又は棒状体の先端に規制物を取り付け、プレーヤのグリップの直上に位置させる。プレーヤは、この棒状体の先端又は規制物に、ゴルフクラブのグリップが触れないように、スイングを行う。スイング矯正器具によって規制される位置が従来のように、クラブヘッドの通過位置ではなく、グリップ部分とした。そのため、プレーヤは、クラブヘッドを無理に規制位置に移動させる必要がなく、グリップをスイング軌道に合わせるように身体のコントロールをするため、力みなく自然にスイングを行うことができる。また、棒状体を器具から突出させる構成となっているので、ミスショットによっても器具を直接打ち込むことはなく、器具の安定性も高い。さらに、３枚の板状体を、例えば蝶番等の回動可能な連結部材により連結しているので、折り畳むことができ、携帯性に優れる。
【００１３】
請求項２の発明は、請求項１の発明において、前記収納部は、筒状の部材を前記支持板外面に取り付けて構成されることを特徴とする。
以上の態様では、板状体である支持板に対して、収納部を形成する筒状部材を取り付けるだけで、器具を構成することができるので、器具の製作が容易になる。
【００１４】
請求項３の発明は、請求項１の発明において、前記収納部は、前記支持板に筒状の穴を設けて構成されることを特徴とする。
以上の態様では、支持板に収納部を形成することができるので、器具全体が３枚の板のみで形成することができ、折り畳み容易ですっきりした器具を提供することができる。
【００１５】
請求項４の発明は、請求項１〜３のいずれか１項に記載の発明において、前記収納部には、伸縮可能な棒状体が収納されたことを特徴とする。
以上の態様では、収納部に伸縮可能な棒状体を収納することで、棒状体のプレーヤのグリップ位置の直上に位置調整が容易となり、利便性の高い器具を提供することができる。
【００１６】
請求項５の発明は、請求項１〜４のいずれか１項に記載の発明において、前記底板の内面側には、前記調整板の連結されていない側の端部を、前記底板の内面側で複数段階で係止するストッパ部材を備えたことを特徴とする。
以上の態様では、調整板の角度調整のためのストッパ部材が形成されることで、プレーヤのグリップ位置の直上に位置調整される棒状体の角度を決定する支持板の位置を、調整板の角度に合わせて複数段階で容易に調整することができるようになる。
【発明の効果】
【００１７】
以上のような本発明では、プレーヤのグリップ位置を規制することでスイング軌道を調整するとともに、プレイ中の安定性と、プレイ後の携帯性を両立したゴルフスイング矯正器具を提供することができる。 
【図面の簡単な説明】
【００１８】
【図１】本発明の実施の形態に係るゴルフスイング矯正器具の全体斜視図。
【図２】本発明の実施の形態に係るゴルフスイング矯正器具の展開図。
【図３】本発明の実施の形態に係るゴルフスイング矯正器具の使用状態を示すイメージ図。
【図４】本発明の実施の形態に係るゴルフスイング矯正器具の折り畳んだ状態を示す図。
【図５】本発明の他の実施の形態に係るゴルフスイング矯正器具の斜視図。
【図６】本発明の他の実施の形態に係るゴルフスイング矯正器具の斜視図。
【発明を実施するための形態】
【００１９】
以下、本発明の実施の形態（以下、本実施形態という。）について、図面を参照しながら説明する。
【００２０】
［１．本実施形態］
［１−１．構成］
本実施形態におけるゴルフスイング矯正器具１（以下、単に「器具１」という場合もある。）は、図１の斜視図に示すように、器具１の設置面を構成する底板１１と、底板１１に対して回動自在に連結され棒状体Ｓの収納部１４を備えた支持板１２と、支持板１２と回動自在に連結され支持板１２の角度を調整自在にする調整板１３とを備え、これら３つの板が三角形状をなして組み立てられている。この３つの板は、例えばアクリル樹脂により形成される。
【００２１】
図２の展開図に示すように、底板１１、支持板１２、調整板１３は、いずれも長方形状で構成され、支持板１２を中央にして、支持板１２の両側に底板１１と調整板１３とを配置して、それぞれの板の短辺側で連結されている。３つの板は、それぞれ蝶番１５により連結され、底板１１に対して支持板１２が、支持板１２に対して調整板１３が、それぞれ回動可能に構成される。なお、底板１１と支持板１２との連結部分は、後述のように、器具１を携帯するために収納する際、底板１１と支持板１２との間に調整板１３を折り畳むため、連結部分にのみ調整板１３と同じ厚みからなる横長板状の補助片１６が間挿されている。
【００２２】
底板１１は、器具１の設置面を形成する部分であり、方形上に形成される。器具１をゴルフ練習場にて使用する場合を想定すると、この底板１１は、支持板１２と連結されていない側の端部から、人工芝で形成されるマットの下側に挿入して固定して用いることができる。 
【００２３】
支持板１２は、上述のように、長方形状の板の中央部分であって、長辺方向に平行に、棒状体Ｓを収納する筒状の収納部１４を備える。この収納部１４は、支持板１２に筒状の部材を取り付けることにより形成される。収納部１４には、棒状体Ｓが間挿され、この棒状体Ｓは、支持板１２の傾斜角度と同等の角度により、調整板１３側に向かって傾斜して設置される。図１に示すように、収納部１４には、等間隔に複数の孔１４ａが設けられている。この孔１４ａに外側から細棒１４ｂを挿入することで、この細棒１４ｂがストッパとなり、収納部１４に挿入される棒状体Ｓの差し込み量を調整することができるようになる。 
【００２４】
ここで、図３のイメージ図に示すように、器具１は、支持板１２の収納部１４に収納される棒状体Ｓの先端が、プレーヤのアドレス時にグリップの上方に位置しているのが好ましい（詳細は作用の項において説明する）。したがって、棒状体Ｓにはある程度の長さが必要であり、１００ｃｍ〜１５０ｃｍ程度で形成されるものが好ましい。具体的な製品として、近年ツアープロに多数愛用されているという株式会社ヤマニが輸入する「ＴＯＵＲ  ＳＴＩＣＫ（ツアースティック）」（商標）を用いると良い。このツアースティックは、長さが約１２２ｃｍで形成されており、器具１に用いる棒状体Ｓとして適当である。特に、ツアースティックは、クラブを収納するキャディバックに収納可能で、アドレスやスタンスの調整、パッティングの方向などの調整など、他の用途を有するものであるため、その持ち歩きが器具１専用というわけではないので、器具１の使用によっても、殊更器具１以外の荷物が増えるというようなこともなく、利便性が高い。 
【００２５】
調整板１３は、上述のように、一方の端部で支持板１２と連結され、他方の端部はいずれの板とも連結されずフリーな状態になっている。したがって、調整板１３を、そのフリーな端部において、底板１１の長尺方向に向かってスライドさせることで、支持板１２の傾斜角度を調整する。調整板１３の傾斜角度が９０°、すなわち、底板１１と調整板１３とが垂直に近くなれば、支持板１２と調整板１３との連結部分の設置面からの高さが高くなり、支持板１２の傾斜角度が急になる。一方、調整板１３の傾斜角度が０°に近くなれば、支持板１２と調整板１３との連結部分の設置面からの高さが低くなり、支持板１２の傾斜角度が緩やかになる。 
【００２６】
［１−２．作用効果］
以上の構成からなる本実施形態のゴルフスイング矯正器具１の作用について説明する。
器具１は、上述のように、底板１１と、支持板１２と、調整板１３とからなる３枚の板状体が、支持板１２を真ん中にして一連に連結され、この連結部分は蝶番１５により回動自在に構成される。
【００２７】
そのため、使用時には、図１に示すように、底板１１を底面として床面に設置し、支持板１２と調整板１３を山型に立てることにより上側の２面を形成する。次に、図３に示すように、山型に立てた支持板１２の収納部１４に対して、棒状体Ｓを挿入する。このとき、図１に示すように、収納部１４に設けられた孔１４ａのいずれか適当な位置に細棒１４ｂを差し込むことで、収納部１４に挿入される棒状体Ｓの差し込み量を調整する。
【００２８】
この棒状体Ｓの先端位置の調整は、図３に示すように、プレーヤが打席等でアドレスした際に、グリップの直上に、棒状体Ｓの先端が位置するように調整する。また、棒状体Ｓ自体をグリップ直上に位置させる方法以外に、棒状体Ｓの先端にヘッドカバーや紐など、手に当たっても痛みを感じない柔らかい材質の規制物Ａを取り付け（図３の規制物Ａはヘッドカバーの例）、この規制物Ａの先端が、グリップ直上に位置するように、調整することも可能である。
【００２９】
このような棒状体Ｓの先端部分の高さ及び位置は、一方の端部がフリーな状態となっている調整板１３を、底板１１上で動かして支持板１２の角度を変化させることにより行うことができる。
【００３０】
器具１が、上記のようにして、プレーヤのグリップの直上に棒状体Ｓの先端又は棒状体Ｓの先端に取り付けた規制物Ａが位置した状態で、プレーヤは、テイクバック、ダウンスイング、フォロースルー、フィニッシュの各局面からなるスイングを実行する。この際、ダウンスイング後に、アドレス位置にグリップが戻るよう、棒状体Ｓ先端や規制物Ａの位置に留意しながらスイングを行う。グリップが、アドレスした位置にきちんと戻ることにより、クラブヘッドをボールに的確にインパクトさせることができる。
【００３１】
なお、器具１を、ゴルフ練習場等における練習で用いる場合、底板１１を、打席に敷かれた人工芝で形成されるマットの下側に挿入して固定して用いる。これにより、マットの重さで器具１を固定することができ、ミスショットによりグリップが棒状体Ｓの先端や規制物Ａに衝突してしまった場合でも、これによって器具１本体が動くこともなくなり、安定性を高めることができる。
【００３２】
また、使用後は、棒状体Ｓを収納部１４から取り除き、図４に示すように、支持板１２に向かって、底板１１と調整板１３とを折り畳み、３枚の板を重ね合わせる。これにより、三角形上の器具１を平板状に収納状態とすることができ、携帯性を高めることが可能である。
【００３３】
以上のような本実施形態のゴルフスイング矯正器具１によれば、本体の支持板１２から棒状体Ｓを斜めに突出させ、棒状体Ｓの先端又は棒状体Ｓの先端に取り付けた規制物Ａを、プレーヤのグリップの直上に位置させる。プレーヤは、この棒状体Ｓの先端又は規制物Ａに、ゴルフクラブのグリップが触れないように、スイングを行う。
【００３４】
このように、スイング矯正器具によって規制される位置が従来のように、クラブヘッドの通過位置ではなく、グリップ部分とした。そのため、プレーヤは、クラブヘッドを無理に規制位置に移動させる必要がなく、グリップをスイング軌道に合わせるように身体のコントロールをするため、力みなく自然にスイングを行うことができる。また、ミスショットにより、グリップの触れる位置にも、ヘッドカバーや紐など、柔らかい素材からなる規制物Ａを配置することで、プレーヤがグリップを衝突させたとしても衝撃は少ないようになっている。また、棒状体Ｓを器具１から突出させる構成となっているので、ミスショットによっても器具１を直接打ち込むことはなく、器具１の安定性も高い。さらに、３枚の板状体を、例えば蝶番１５により回動可能に連結しているので、器具１全体を折り畳むことができ、携帯性に優れる。
【００３５】
本実施形態の器具１は、また収納部１４が、筒状の部材を支持板１２外面に取り付けて構成している。これにより、支持板１２に対して、筒状の部材を取り付けるだけで収納部１４を形成することができるので、器具１の製作が容易である。
【００３６】
また、底板の内面側には、調整板の連結されていない側の端部を、前記底板の内面側で複数段階で係止するストッパ部材を備えたことを特徴とする。
【００３７】
以上のような本実施形態によれば、スイング軌道を調整するため、プレーヤのグリップ位置を規制することができるとともに、プレイ中の安定性と、プレイ後の携帯性を両立したゴルフスイング矯正器具を提供することが可能である。
【００３８】
［２．他の実施形態］
本発明は、本実施形態に示される態様に限定されるものではなく、例えば、以下の態様も包含する。上記実施形態におけるゴルフスイング矯正器具は、図１に示したように、支持板１２に別体からなる収納部１４を取り付けて構成したが、本発明は、このような態様に限られず、図５に示すように、支持板２２の内部に、棒状体Ｓの収納部２４を設けて構成することも可能である。この場合、支持板２２を他の底板２１や調整板２３より厚みのある部材により構成するのが好ましい。このように支持板２２に収納部２４を形成することができるので、器具全体を３枚の板状体のみで形成することができ、折り畳み容易ですっきりした器具を提供することができる。
【００３９】
また、本発明のゴルフスイング矯正器具では、図５に示すように、３つの板である底板２１、支持板２２及び調整板２３のそれぞれに、縦方向に溝をそれぞれ２つ設けて構成することにより、器具全体の重量を少なくすることも可能である。なお、このような溝の大きさや数は、器具の強度を損なわない範囲で適宜設計可能である。
【００４０】
上記実施形態におけるゴルフスイング矯正器具１では、調整板１３の底板１１上での角度調整を自由にし、無段階での調整を可能とした。これは一つには、上記実施形態で示したように、器具１の底板１１をゴルフ練習場等において人工芝で形成されたマットの下側に挿入し、マット上で調整板１３の端部を移動させるため、この調整板１３の端部を自然状態としても、マット上の人工芝が滑り止めの役割を担って、自由状態でも位置調整が容易となっているからである。
【００４１】
この点、本発明のゴルフスイング矯正器具では、調整板３３の端部が、段階的に位置調整可能な構成を設けることも可能である。すなわち、底板３１の底面側と反対の面に、図６に示すように、所定の間隔で棒状のストッパ部材を設けることにより、調整板３３の調整位置を複数段階で固定できる構成としてもよい。 
【００４２】
上記実施形態におけるゴルフスイング矯正器具では、支持板１２に、筒状の収納部１４を別途取り付けて構成しているが、本発明は、このような構成に限定されるものではなく、図５に示すように、矯正器具自体が棒状体Ｓ２を備えるような構成にしてもよい。この場合、支持板１２内部に、入れ子式にして伸縮が可能な態様で、棒状体Ｓ２を収納するのが好ましい。このような態様では、棒状体Ｓ２をプレーヤのグリップ位置の直上に位置調整することが容易になり、利便性の高い器具を提供することができる。 
【００４３】
また、マットの下側に挿入して用いない場合には、底板１１の底面側に滑り止め用の樹脂を配したり、図５に２点鎖線にて示すように、底板１１と支持板１２とを連結する連結部分に棒状体を差し込み可能な構成として、この棒状体Ｓにより器具１の左右方向の位置固定を行うことができる。 
【符号の説明】
【００４４】
１…ゴルフスイング矯正器具
１１，２１…底板
１２，２２…支持板
１３，２３，３３…調整板
１４，２４…収納部
１４ａ…孔
１４ｂ…細棒
１５…蝶番
１６…補助片
Ｓ，Ｓ２…棒状体
【図１】
2013138775.tif 000003
【図２】
2013138775.tif 000004
【図３】
2013138775.tif 000005
【図４】
2013138775.tif 000006
【図５】
2013138775.tif 000007
【図６】
2013138775.tif 000008